(57)【要約】【課題】筐体発光構造において、筐体に設けられた開口と光源との距離が離れている場合であっても、その開口から十分に光を出力することができるようにする。【解決手段】フロントケース２内には、弧状のイルミネーションモジュール５が配設され、イルミネーションモジュール５の両端部近傍にはＬＥＤ（発光ダイオード）等の光源７が配設されている。これらイルミネーションモジュール５と光源７とで携帯情報端末装置１００の着信発光部が構成される。導光板５１は、概略的に弧状をなす本体部５１１と、本体部５１１よりも幅が狭く、本体部５１１の前面から突出し、本体部５１１の弧状部分に沿って延在する有効発光部５１２とを有し、リアケース１をフロントケース２上に被せると、イルミネーションモジュール５を構成する導光板５１の有効発光部５１２が貫通溝１１内に挿入されることになる。【選択図】図２
2007068004.tif 000002
【特許請求の範囲】
【請求項１】
表面に開口が設けられた筐体、
この筐体に覆われ、前記開口と対向する位置に配設された基板、
この基板に取り付けられた光源、
前記基板に取り付けられ、前記光源の近傍に配置された光源近傍部と、この光源近傍部よりも前記筐体内壁の近傍に前記開口と対応して設けられた開口近傍部とを有する導光板
を備えることを特徴とする筐体発光構造。
【請求項２】
部品が、
前記導光板と前記基板との間に配置されていることを特徴とする請求項１記載の筐体発光構造。
【請求項３】
前記光源は、
前記導光板に隣接して複数設けられていることを特徴とする請求項１記載の筐体発光構造。
【請求項４】
表面に開口が設けられた筐体、
この筐体に覆われ、前記開口と対向する位置に配設された基板、
この基板に取り付けられた光源、
前記基板に取り付けられて前記光源に隣接する位置に配置され、前記開口に向かって突出した突出部を有する導光板
を備えることを特徴とする筐体発光構造。
【請求項５】
前記突出部は、
前記筐体の内壁を越えて突出していることを特徴とする請求項４記載の筐体発光構造。
【請求項６】
前記突出部は、
一部に面取り部が形成されていることを特徴とする請求項５記載の筐体発光構造。
【請求項７】
前記面取り部は、
突出方向に出力される光の輝度を促進させることを特徴とする請求項６記載の筐体発光構造。
【請求項８】
前記面取り部は、
少なくとも半径０．２ｍｍ以上であることを特徴とする請求項７記載の筐体発光構造。
【請求項９】
前記導光板は、
前記光源から入力された光を、前記突出部から突出方向に出力させるように反射させる溝が刻んであることを特徴とする請求項４記載の筐体発光構造。
【発明の詳細な説明】
【技術分野】
【０００１】
本発明は筐体発光構造に関し、特に十分な光を出力するものに関する。
【背景技術】
【０００２】
筐体発光構造として、特許文献１に開示されるような着信発光部構造が知られている。
【０００３】
すなわち、特許文献１の図２に示される電話機では、電話機ケースの正面側（表示パネル側）に着信発光部を備え、当該着信発光部は、電話機ケースを貫通するように配設された筒状の導光部と、導光部の直下の基板上に設けられた光源とを有している。
【０００４】
【特許文献１】特開２００２−５７７６２号公報
【発明の開示】
【発明が解決しようとする課題】
【０００５】
特許文献１に開示の着信発光部構造においては、光源の配置位置と、開口を有する筐体表面との距離が離れているときには、その開口から十分な光を出力することができないものであった。
【０００６】
本発明は上記のような問題点を解消するためになされたもので、筐体発光構造において、筐体に設けられた開口と光源との距離が離れている場合であっても、その開口から十分に光を出力することができるようにすることを目的にする。
【課題を解決するための手段】
【０００７】
本発明に係る請求項１記載の筐体発光構造は、表面に開口が設けられた筐体、この筐体に覆われ、前記開口と対向する位置に配設された基板、この基板に取り付けられた光源、前記基板に取り付けられ、前記光源の近傍に配置された光源近傍部と、この光源近傍部よりも前記筐体内壁の近傍に前記開口と対応して設けられた開口近傍部とを有する導光板を備える筐体発光構造である。
【発明の効果】
【０００８】
本発明に係る請求項１記載の携帯情報端末装置によれば、開口近傍部が光源近傍部よりも筐体内壁近傍に配置された導光板を備えているので、設計上の制約で、光源の配設位置とケース主面との高さ方向の距離が離れた場合であっても、導光板を、開口が設けられた筐体表面に接近させることができ、光のロスを低減して、着信等を知らせるイルミネーション発光の視認性が良好となる。
【発明を実施するための最良の形態】
【０００９】
＜実施の形態＞
本発明に係る筐体発光構造の実施の形態である携帯情報端末装置について、図１〜図８を用いて説明する。
【００１０】
＜Ａ．装置構成＞
＜Ａ−１．全体構成＞
図１に携帯情報端末装置１００の折り畳んだ状態での外観斜視図を示す。なお、図１に示すように携帯情報端末装置１００の平面視形状は矩形であり、長辺に沿った方向を長手方向、短辺に沿った方向を幅方向、両方向に垂直な方向を厚み方向と呼称する。
【００１１】
図１に示すように携帯情報端末装置１００は、サブモニターおよびメインモニターが配設されたモニター側ケース１０（筐体）と、図示されない操作キーが配設されたキー側ケース２０とに大別され、両者はヒンジ４によって開閉可能に連結されている。
【００１２】
モニター側ケース１０は、サブモニター側のケースとなるリアケース１と、メインモニター側のケースとなるフロントケース２とで構成されている。
【００１３】
リアケース１の主面には、リアウインドウ３と呼称する意匠パネルが嵌め込まれている。リアウインドウ３は略半月形をなし、その弧状の端縁部はイルミネーション発光窓３１を構成している。
【００１４】
イルミネーション発光窓３１は、モニター側ケース１０内に配設されたイルミネーションモジュールから放射される光を透過するように透明あるいは半透明となっている。
【００１５】
また、リアケース１の主面には、イルミネーション発光窓３で囲まれる領域に、サブモニター表示窓３２が設けられている。
【００１６】
サブモニター表示窓３２は、モニター側ケース１０内に配設されたサブモニターの画面に対応するように設けられ、サブモニターの画面を見ることができるように透明となっている。
【００１７】
また、リアケース１の主面にはヒンジ４の近傍にスピーカ放音孔１３が設けられている。
【００１８】
次に、図２を用いて携帯情報端末装置１００のさらに詳細な構成について説明する。
図２は、リアケース１およびリアウインドウ３を取り外した分解状態の携帯情報端末装置１００を示す斜視図である。
【００１９】
図２に示すように、リアケース１の主面には、リアウインドウ３を嵌め込むための略半月形の窪み部１５が設けられ、その深さはリアウインドウ３の厚みと同じであり、リアウインドウ３を嵌め込むと、リアウインドウ３の主面は、リアケース１の主面とほぼ同じ高さとなる。
【００２０】
そして窪み部１５には、イルミネーション発光窓３１に沿うように設けられた貫通溝１１（開口）が設けられるとともに、サブモニター表示窓３２に対応する位置に矩形の開口部１２が設けられている。
【００２１】
また、フロントケース２内には、弧状のイルミネーションモジュール５が配設され、イルミネーションモジュール５の両端部近傍にはＬＥＤ（発光ダイオード）等の光源７が配設されている。これらイルミネーションモジュール５と光源７とで携帯情報端末装置１００の着信発光部が構成される。
【００２２】
導光板５１は、概略的に弧状の板体をなす本体部５１１と、本体部５１１よりも幅が狭く、本体部５１１の板面から突出し、本体部５１１の中央部に相当する弧状部分に沿って延在する有効発光部５１２とを有し、リアケース１をフロントケース２上に被せると、イルミネーションモジュール５を構成する導光板５１の有効発光部５１２が貫通溝１１内に挿入されることになる。
【００２３】
また、イルミネーションモジュール５に並列するようにＬＣＤ（液晶表示装置）等で構成されるサブモニター６が配設され、リアケース１をフロントケース２上に被せると、サブモニター６の画面が、開口部１２に対応するように位置することになる。
【００２４】
図３には、リアケース１を取り外した状態の携帯情報端末装置１００を、リアケース１側から見た状態を示す平面図を示し、図３におけるＡ−Ａ線での断面図を図４に示す。
【００２５】
なお、図３においては、イルミネーションモジュール５の一部断面と、スピーカ部ＳＰの断面を示すようにＡ−Ａ線を設定しており、また、図４においては、便宜的にリアケース１およびリアウインドウ３を取り付けた状態での断面構成を示している。
【００２６】
図４に示すように、イルミネーションモジュール５は回路基板ＳＢ上に配設されるが、イルミネーションモジュール５を構成する導光板５１の長手方向に沿った断面形状は、本体部５１１の裏面（有効発光部５１２が設けられた板面とは反対側の板面）全面が回路基板ＳＢに接する平板ではなく、両端部（光源近傍部）のみが回路基板ＳＢ（基板）に接し、中央部（開口近傍部）が両端部よりも高くなってリアケース１に接近したブリッジ状となっている。
【００２７】
光源７は導光板５１の端部外方の回路基板ＳＢ上に配設され、その光の放射面が導光板５１の端面を向くように配設されている。
【００２８】
なお、図４に示すように回路基板ＳＢは、ＬＣＤ等のメインモニター１６を取り付けるフレームＦＲ上に配設されている。
【００２９】
＜Ａ−２．イルミネーションモジュールの構成＞
次に、図５〜図７を用いてイルミネーションモジュール５の詳細な構成について説明する。
【００３０】
図５および図６はイルミネーションモジュール５を個々の部品に分解した状態を示す斜視図であり、図５は導光板５１側から見た斜視図を、図６はリフレクタ５３側から見た斜視図を示している。
【００３１】
図５および図６に示すようにイルミネーションモジュール５は、導光板５１、反射シート５２およびリフレクタ５３を有して構成されている。
【００３２】
図５に示すように、導光板５１は、概略的に弧状の板体をなす本体部５１１と、本体部５１１よりも幅が狭く、本体部５１１の板面から突出し、本体部５１１の弧状部分に沿って延在する有効発光部５１２（突出部）とを主たる構成として有しており、導光板５１の中央部での断面形状は凸形状となっている。
【００３３】
導光板５１の両端部は弧状ではなく直線状となっており、当該直線状部分には有効発光部５１２は存在していない。なお、導光板５１において弧状となっているのは、直線状の両端部の間に位置する中央部である。
【００３４】
そして本体部５１１の一方の端部には切り欠き部５１３が配設され、他方の端部には切り欠き部５１４が配設されている。これらの切り欠き部５１３および５１４内には、例えば図２に示したように光源７が位置することになり、切り欠き部５１３および５１４は導光板５１の入光部となる。
【００３５】
また、図５および図６に示すように、本体部５１１の弧状部分の両側面には、それぞれ前面側とは反対の裏面側に突出する固定ピン５１５および５１６が設けられている。
【００３６】
固定ピン５１５は、切り欠き部５１３側の直線状部分と弧状部分との境界近傍の弧状部分外周側の側面に設けられ、固定ピン５１６は、切り欠き部５１４側の直線状部分と弧状部分との境界近傍の弧状部分内周側の側面に設けられている。
【００３７】
ここで、図５および図６に示されるように、本体部５１１の直線状部分は、弧状部分に対して高さ位置が異なり、ブリッジ状をなしている。従って、導光板５１は平面視的に弧状をなす２次元的な構造だけでなく、高さ方向においてはブリッジ状をなす３次元的な構造を有していると言える。
【００３８】
導光板５１は、両端部の外方に配設された光源７（図２）から供給される光を伝達して、上方、すなわち有効発光部５１２側から放射させる部品であり、光、特に可視光に対する透過性に優れ、かつ成形性に優れた樹脂、例えばポリカーボネートやメタクリル樹脂（ＰＭＭＡ）によって構成されている。
【００３９】
なお、導光板５１の平面視形状は弧状としたが、これ以外の形状であっても良いことは言うまでもなく、細長形状であれば、直線状やカーブを緩やかにしたＳ字形状などでも良い。
【００４０】
また、図５に示すように、リフレクタ５３は導光板５１の平面視形状およびブリッジ状の断面形状に合わせて形成されており、概略的に弧状をなす底面部５３１と、底面部５３１の両側面に沿って設けられた側壁部５３７および５３８を主たる構成として有している。
【００４１】
側壁部５３７および５３８は、導光板５１が配置される側に突出するように設けられ、リフレクタ５３内に導光板５１が配置されることで、導光板５１の２つの側面が側壁部５３７および５３８によって覆われることになる。
【００４２】
底面部５３１の両端部は弧状ではなく直線状となっており、底面部５３１の一方の端部には切り欠き部５３３が配設され、他方の端部には切り欠き部５３４が配設されている。これらの切り欠き部５３３および５３４は、リフレクタ５３内に導光板５１が配置した状態で導光板５１の切り欠き部５１３および５１４と合致するように設けられている。
【００４３】
また、図５および図６に示すように、側壁部５３７には側壁切り欠き部５３５が設けられ、切り欠き部５３４側の直線状部分と弧状部分との境界近傍の弧状部分内周側の底面部５３１には、貫通孔５３６が設けられている。
【００４４】
側壁切り欠き部５３５および貫通孔５３６は、それぞれ導光板５１の固定ピン５１５および５１６に対応する位置に設けられ、リフレクタ５３内に導光板５１を配置することで、側壁切り欠き部５３５を介して固定ピン５１５がリフレクタ５３の裏面側（導光板５１が載置される前面とは反対側の面）に突出し、貫通孔５３６を介して固定ピン５１６がリフレクタ５３の裏面側に突出することになる。
【００４５】
なお、リフレクタ５３内に導光板５１を配置した後、リフレクタ５３を導光板５１に対してかしめを行うことで、両者を結合させても良い。
【００４６】
なお、リフレクタ５３は導光板から洩れる光を反射して、上方、すなわち導光板５１の有効発光部５１２側から放射させる部品であり、光、特に可視光に対する反射率が高く、薄くても機械的強度が高く、加工性に優れたステンレス等の金属材料によって構成されている。なお、金属材料の変わりに樹脂材料を使用し、その表面に金属膜を蒸着するなどの構成を採用しても良い。
【００４７】
リフレクタ５３の底面部５３１上には反射シート５２が載置され、導光板５１とリフレクタ５３との間に反射シート５２が挟み込まれることになる。
【００４８】
反射シート５２は導光板５１の平面視形状に合わせて形成され、概略的に弧状をなしているが、その両端部は弧状ではなく直線状となっている。そして、リフレクタ５３の貫通孔５３６に対応する、直線状部分と弧状部分との境界近傍の弧状部分内周側には、半円状の切り欠き部５２２が設けられ、導光板５１とリフレクタ５３との間に反射シート５２を挟み込んだ場合に、固定ピン５１６が反射シート５２で遮られることがない構成となっている。なお、切り欠き部５２２は、固定ピン５１６の側面に係合することで、リフレクタ５３上での反射シート５２の位置決めをする機能も有しており、反射シート５２の位置ずれを防止することができる。
【００４９】
ここで、反射シート５２は、光源７（図２）から供給され、導光板５１内を伝播する光を効率よく上方、すなわち導光板５１の有効発光部５１２側に反射する部品であり、紙をベースとして構成され、導光板５１とリフレクタ５３との間に反射シート５２を挟み込んだ場合に、導光板５１およびリフレクタ５３のブリッジ状の断面形状に合わせて変形し、両者に密着することができる。なお、反射シート５２は、白色や銀色等の反射率の高い色を有している。
【００５０】
なお、反射シート５２を両面粘着テープあるいは接着剤でリフレクタ５３または導光板５１に貼付するようにしても良い。
【００５１】
以上の説明においては、イルミネーションモジュール５は、導光板５１、反射シート５２およびリフレクタ５３によって構成されるものとしたが、導光板５１と反射シート５２のみ、あるいは導光板５１とリフレクタ５３のみの組み合わせによってイルミネーションモジュールを構成しても良い。
【００５２】
すなわち、導光板５１は固定ピン５１５および５１６を有しているので、リフレクタ５３がなくても回路基板ＳＢに固定することは可能であるし、導光板５１の裏面に反射シート５２を貼付すれば、リフレクタ５３がなくても光の反射は実現できる。また、反射シート５２を配設せずともリフレクタ５３が、反射率の高い材料で構成されていれば光の反射は実現できる。このように、反射シート５２およびリフレクタ５３の少なくとも一方を有していれば光の反射は実現でき、イルミネーションモジュール５の構成を簡略化できる。
【００５３】
また、導光板５１のみでイルミネーションモジュール５を構成することもできる。すなわち、導光板５１の裏面および側面に、蒸着等で反射膜を形成すれば反射シート５２もリフレクタ５３も不要となる。
【００５４】
以上説明した各部品を有するイルミネーションモジュール５を組み立てると、固定ピン５１５および５１６がリフレクタ５３の裏面側に突出し、当該固定ピン５１５および５１６を、回路基板ＳＢ（図４）に予め設けた位置決め孔（図示せず）に挿入することで、イルミネーションモジュール５を精度良く回路基板ＳＢ上に配設することができる。
【００５５】
なお、導光板５１の入光部である切り欠き部５１３および５１４の寸法を適宜設定することで、光源７との位置ずれを吸収することができるのであれば、イルミネーションモジュール５を回路基板ＳＢ上に取り付けるのではなくリアケース１の内側に取り付け、フロントケース２にリアケース１を被せることで、導光板５１の入光部に光源７が係合するようにしても良い。
【００５６】
次に、図７（ａ）、（ｂ）を用いて導光板５１に施す表面加工について説明する。なお、図７（ａ）には、導光板５１を有効発光部５１２側から見た平面図を、図７（ｂ）には、導光板５１を有効発光部５１２とは反対側、すなわち裏面側から見た平面図を示している。
【００５７】
図７（ａ）においては、有効発光部５１２の最上面にハッチングを施しているが、当該ハッチング領域が図２に示す貫通溝１１において露出する領域であり、携帯情報端末装置１００の使用者は上記ハッチング領域からの発光を目にすることになり、上記ハッチング領域を視覚発光エリア５１０と言うことができる。
【００５８】
この視覚発光エリア５１０は、研磨粒子を吹き付けるサンドブラスト加工を施すことで表面状態を粗くしたサンドブラスト面とし、光の散乱を促進させて輝度むらを解消する構成としても良い。
【００５９】
また、図７（ｂ）においては、本体部５１１の弧状部分（すなわち中央部）に対応する裏面に、プリズム加工を施したプリズム面を有した構成を示している。
【００６０】
プリズム加工は、本体部５１１を幅方向に横切る鋸歯状の溝を弧状部分の裏面に複数刻み込む加工であり、溝のピッチと深さによって導光板５１から放射される輝度の調整を行うことができる。なお、プリズム加工は弧状部分の裏面全面に渡るように形成しても良いし、裏面の一部の領域に形成しても良く、プリズム加工面の広さで、イルミネーションモジュール５の輝度を調整することもできる。
【００６１】
なお、プリズム加工を施した後、輝度むらが存在する場合には、輝度の高い部分のプリズム面にサンドブラスト加工を施すことでプリズム加工による鋸歯状の溝の表面状態を粗くしてサンドブラスト面とし、光の散乱を促進させて輝度むらを解消する構成としても良い。
【００６２】
また、イルミネーションモジュール５における輝度を向上させるための構成として、導光板５１のコーナー部分に丸みを付ける面取り加工（Ｒ加工）を施しても良い。図８にはその一例を示す。
【００６３】
図８は導光板５１の幅方向の断面図であり、有効発光部５１２と本体部５１１との境のコーナー部分Ｃ１（第１のコーナー部分）、および本体部５１１の裏面側のコーナー部分Ｃ２（第２のコーナー部分）にＲ加工を施している。この場合の面取り部分の曲率半径は、導光板５１の成形に使用する金型に設けられる最小限のＲ加工の曲率半径である０．１〜０．２ｍｍよりも大きく、本体部５１１の高さよりも小さく設定することが望ましい。より具体的には、本体部５１１の高さが０．８ｍｍ程度である場合、面取り部分の曲率半径は、０．２〜０．５ｍｍ程度に設定する。
【００６４】
面取り部分を設けることで、面取り部分の導光板５１内部で光が反射し、光のロスが低減し、面取り部分を設けない場合に比べて輝度を５〜１０％程度向上させることができる。
【００６５】
＜Ｂ．特徴的作用効果＞
以上説明したイルミネーションモジュール５を有する携帯情報端末装置１００は、以下のような特徴的作用効果を有している。
【００６６】
図９は、リアケース１、リアウインドウ３およびイルミネーションモジュール５の位置関係を示す部分断面図である。
図９に示すように、導光板５１の有効発光部５１２（突出部）は、リアケース１の貫通溝１１内に挿入された状態で、視覚発光エリア５１０がリアケース１の主面と同一平面をなすように構成されている。
【００６７】
従って、視覚発光エリア５１０からの光はどの角度に対しても遮るものがないので、どの角度から見ても視覚発光エリア５１０に暗部が生じず、視覚発光エリア５１０の全域が明るく光って見える。このため、着信等を知らせるイルミネーション発光の視認性が良好となる。なお、導光板５１の有効発光部５１２は、リアケース１の内壁を越えた位置に配置されていれば、視覚発光エリア５１０にできる暗部が小さくなるという効果が得られる。ただし、視覚発光エリア５１０の暗部を生じさせなくするには、視覚発光エリア５１２を、リアケース１の主面と同一平面又はリアケース１の主面よりも突出した位置に配置することが望ましい。
【００６８】
また、従来の携帯電話等の着信発光部は、導光部の直下の光源から上部方向に光を照射して導光部を通して外部に光を放射する構成を採っていたので、輝度を確保できないという点で光源に比べて導光部を大きくすることが困難であったが、イルミネーションモジュール５においては、平面視的に弧状をなす２次元的な構造を有し、導光板５１の両端部から光を供給し、導光板５１内を反射させながら伝達するので、光源７よりも遙かに大きな導光板５１を発光させることができ、着信等を知らせるイルミネーション発光が際だった存在となり、視覚効果が大幅に向上する。
【００６９】
また、イルミネーションモジュール５においては、高さ方向においてブリッジ状をなす３次元的な構造を有しているので、設計上の制約で、回路基板ＳＢとリアケース１との高さ方向の距離が離れる場合であっても、導光板５１をリアケース１に接近させることができるので、光のロスを低減して、着信等を知らせるイルミネーション発光の視認性が良好となる。
【００７０】
また、イルミネーションモジュール５が、高さ方向においてブリッジ状をなす３次元的な構造を有するので、図９に示すように回路基板ＳＢとイルミネーションモジュール５との間に隙間が形成されることになる。このため、当該隙間部分に配線や回路基板上の部品を配設することができ、携帯情報端末装置内の限られたスペースを有効に活用することができる。
【００７１】
なお、図９に示すように、リアウインドウ３はリアケース１に両面テープＴＰ等の接着手段によって貼付され、リアケース１の内側には遮光膜ＳＦ等の遮光手段が施されてイルミネーションモジュール５からの光が、視覚発光エリア５１０以外の部分から洩れないように構成されている。
【００７２】
＜Ｃ．変形例１＞
図８を用いて導光板５１のコーナー部分にＲ加工を施す構成を説明したが、以下、図１０〜図１２を用いて、Ｒ加工の変形例について説明する。
【００７３】
図１０に示す導光板５１Ａにおいては、有効発光部５１２と本体部５１１との境のコーナー部分Ｃ１には、成形金型に設けられる最小限のＲ加工しか施さず、本体部５１１の裏面側のコーナー部分Ｃ２のみにＲ加工を施している。この場合の面取り部分の曲率半径は、成形金型に設けられる最小限のＲ加工の曲率半径よりも大きく、本体部５１１の高さよりも小さく設定する。
【００７４】
図１１に示す導光板５１Ｂにおいては、コーナー部分Ｃ２には、成形金型に設けられる最小限のＲ加工しか施さず、コーナー部分Ｃ１のみにＲ加工を施している。この場合の面取り部分の曲率半径は、成形金型に設けられる最小限のＲ加工の曲率半径よりも大きく、本体部５１１の高さよりも小さく設定する。
【００７５】
図１２に示す導光板５１Ｃにおいては、コーナー部分Ｃ１およびＣ２には、成形金型に設けられる最小限のＲ加工しか施していない。この場合、Ｒ加工を施す構成に比べて輝度の向上は望めないが、光源部材７からの光の強度が充分に高いなど、Ｒ加工を施さずとも所望の輝度が得られる場合に適している。
【００７６】
＜Ｄ．変形例２＞
図８を用いて説明した導光板５１の断面図においては、視覚発光エリア５１０が平坦である構成を示したが、以下、図１３〜図１６を用いて、視覚発光エリアの変形例について説明する。
【００７７】
図１３に示す導光板５１Ｄにおいては、視覚発光エリア５１０が本体部側とは反対方向に突出した曲面（凸面）となっている。
【００７８】
図１４に示す導光板５１Ｅにおいては、視覚発光エリア５１０が本体部側に向けて窪んだ曲面（凹面）となっている。
【００７９】
図１５に示す導光板５１Ｆにおいては、視覚発光エリア５１０が本体部側とは反対方向に左右対称に山型に突出し、その傾斜面が平面をなす形状となっている。
【００８０】
図１６に示す導光板５１Ｇにおいては、視覚発光エリア５１０本体部側に向けて左右対称に山型に窪み、その傾斜面が平面をなす形状となっている。
【００８１】
このように、視覚発光エリア５１０の形状を変えることで、視覚発光エリア５１０から放射される光の視覚効果を変えることができる。
【００８２】
なお、以上の説明においては、折り畳み式の携帯情報端末装置を例に採って説明したが、本発明の適用は折り畳み式の携帯情報端末装置に限定されるものではない。
【００８３】
また、イルミネーションモジュール５は着信発光部を構成するものとして説明したが、イルミネーションモジュール５が発光するのは情報の着信時に限定されるものではなく、使用者に何らかの情報を伝える際に発光させたり、単なる装飾として発光させても良い。
【図面の簡単な説明】
【００８４】
【図１】本発明に係る実施の形態の携帯情報端末装置の外観を示す斜視図である。
【図２】本発明に係る実施の形態の携帯情報端末装置の分解斜視図である。
【図３】本発明に係る実施の形態の携帯情報端末装置のリアケースを取り外した状態を示す平面図である。
【図４】本発明に係る実施の形態の携帯情報端末装置の構成を示す部分断面図である。
【図５】イルミネーションモジュールを個々の部品に分解した状態を示す斜視図である。
【図６】イルミネーションモジュールを個々の部品に分解した状態を示す斜視図である。
【図７】導光板に施す表面加工を説明する平面図である。
【図８】導光板の幅方向の断面形状を示す図である。
【図９】リアケース、リアウインドウおよびイルミネーションモジュールの位置関係を示す部分断面図である。
【図１０】導光板のコーナー部分に施すＲ加工の変形例を示す断面図である。
【図１１】導光板のコーナー部分に施すＲ加工の変形例を示す断面図である。
【図１２】導光板のコーナー部分に施すＲ加工の変形例を示す断面図である。
【図１３】導光板の視覚発光エリアの形状の変形例を示す断面図である。
【図１４】導光板の視覚発光エリアの形状の変形例を示す断面図である。
【図１５】導光板の視覚発光エリアの形状の変形例を示す断面図である。
【図１６】導光板の視覚発光エリアの形状の変形例を示す断面図である。
【符号の説明】
【００８５】
５  イルミネーションモジュール、７  光源、５１  導光板、５２  反射シート、５３  リフレクタ、５１１  本体部、５１２  有効発光部。
【図１】
2007068004.tif 000003
【図２】
2007068004.tif 000004
【図３】
2007068004.tif 000005
【図４】
2007068004.tif 000006
【図５】
2007068004.tif 000007
【図６】
2007068004.tif 000008
【図７】
2007068004.tif 000009
【図８】
2007068004.tif 000010
【図９】
2007068004.tif 000011
【図１０】
2007068004.tif 000012
【図１１】
2007068004.tif 000013
【図１２】
2007068004.tif 000014
【図１３】
2007068004.tif 000015
【図１４】
2007068004.tif 000016
【図１５】
2007068004.tif 000017
【図１６】
2007068004.tif 000018